(57)【要約】【課題】  光変調装置である液晶表示装置への照射態様を制御する回転ホイールを配置して尾引き現象の改善を図るとともに、その回転ホイールをそれを回転させるモータを利用して光路から出し入れ可能な構成として、利用者が選択的にその回転ホイールを作用位置または非作用位置に置くことができるプロジェクタを提供する。【解決手段】  照明装置が、照明光束を入射し液晶表示装置上で光照射領域と光非照射領域とが液晶表示装置の画面書込み周波数に同期して順次交互にスクロールされるように回転する光透過領域と光非透過領域とが渦巻状に形成されたホイール３０及びホイール３０と一体のモータ１０とを備え、モータ１０の回転体であるアウタロータ１２の外周面に対して選択的に押し当て可能なモータ１０の回転軸と直交する方向に延びる摩擦板５０を備えた。【選択図】  図２
2005257963.tif 000002
【特許請求の範囲】
【請求項１】
照明光束を射出する光源装置及びモータによって回転されて前記照明光束の照射態様を制御するホイールとを有した照明装置と、前記照明装置から射出された照明光束を入射し画像情報に応じて変調する電気光学変調装置と、前記電気光学変調装置によって変調された光を投写する投写レンズとを備え、
前記照明装置は、前記照明光束を入射し前記電気光学変調装置上で光照射領域と光非照射領域とが前記電気光学変調装置の画面書込み周波数に同期して順次交互にスクロールされるように回転する光透過領域と光非透過領域とが渦巻状に形成された前記ホイール及び該ホイールと一体の前記モータとを備え、
前記モータの回転力をモータの移動力に変換する機構を設けて、前記ホイールをその作用位置と非作用位置との間で移動可能にしたことを特徴とするプロジェクタ。
【請求項２】
照明光束を射出する光源装置及びモータによって回転されて前記照明光束の照射態様を制御するホイールとを有した照明装置と、前記照明装置から射出された照明光束を入射し画像情報に応じて変調する電気光学変調装置と、前記電気光学変調装置によって変調された光を投写する投写レンズとを備え、
前記照明装置は、前記電気光学変調装置の画面書込み周波数に同期して開閉し前記照明光束を一定時間遮断する光シャッタとしての前記ホイール及び該ホイールと一体の前記モータとを備え、
前記モータの回転力をモータの移動力に変換する機構を設けて、前記ホイールをその作用位置と非作用位置との間で移動可能にしたことを特徴とするプロジェクタ。
【請求項３】
前記モータの回転体であるアウタロータの外周面に対して選択的に押し当て可能なモータの回転軸と直交する方向に延びる摩擦板を備えたことを特徴とする請求項１又は２記載のプロジェクタ。
【請求項４】
前記アウタロータの外周面にその面の摩擦力を増大させる処理が施されていることを特徴とする請求項３記載のプロジェクタ。
【請求項５】
前記モータのステータを含む固定体部から前記モータの回転軸と平行する棒部材を延設し、該棒部材が嵌る幅の長形溝を前記モータの回転軸と直交する方向の所定範囲に有する固定ガイド部材を備え、前記固定ガイド部材の長形溝に前記棒部材を挿入してなることを特徴とする請求項３又は４記載のプロジェクタ。
【請求項６】
前記モータの回転体であるアウタロータの外周面に第１ギアを形成し、選択的に前記第１ギアとかみ合って前記第１ギアをモータの回転軸と直交する方向に往復運動させる第２ギアを備えたことを特徴とする請求項１又は２記載のプロジェクタ。
【請求項７】
前記第２ギアが、板部材内部の所定範囲に設けた前記アウタロータを挿入可能な幅の長形溝の溝壁面に沿って形成されたラックギアであることを特徴とする請求項６記載のプロジェクタ。
【発明の詳細な説明】
【技術分野】
【０００１】
本発明は、電気光学変調装置への光照射態様を制御する回転ホイールを備えたプロジェクタに関する。
【背景技術】
【０００２】
プロジェクタの画像形成に用いられている電気光学変調装置としての液晶表示装置は、ＣＲＴのようなインパルス型表示装置とは異なり、表示光が１フィールド間ホールドされ表示光の変化が段階状になるホールド型表示装置である。従って、いわゆる尾引き現象が生じて滑らかな動画表示が得られないという間題点がある（この尾引き現象及びその改善策については、例えば、非特許文献１又は特許文献１参照）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報
【発明の開示】
【発明が解決しようとする課題】
【０００３】
上記非特許文献１や特許文献１には、尾引き現象の改善策として光シャッタや光走査の利用についての記載がある。しかしながら、それらのために用いられる光学要素を光路から出し入れして、それを選択的に適用することについては何ら開示されていない。  
本発明はこれを考慮してなされたもので、電気光学変調装置を照明する照明装置側に、電気光学変調装置への照射態様を制御する回転ホイールを配置して尾引き現象の改善を図るとともに、その回転ホイールをそれを回転させるモータを利用して光路から出し入れ可能な構成として、利用者が選択的にその回転ホイールを作用位置又は非作用位置に置くことができるプロジェクタを提供するものである。
【課題を解決するための手段】
【０００４】
本発明のプロジェクタは、照明光束を射出する光源装置及びモータによって回転されて前記照明光束の照射態様を制御するホイールとを有した照明装置と、前記照明装置から射出された照明光束を入射し画像情報に応じて変調する電気光学変調装置と、前記電気光学変調装置によって変調された光を投写する投写レンズとを備え、前記照明装置は、前記照明光束を入射し前記電気光学変調装置上で光照射領域と光非照射領域とが前記電気光学変調装置の画面書込み周波数に同期して順次交互にスクロールされるように回転する光透過領域と光非透過領域とが渦巻状に形成された前記ホイール及び該ホイールと一体の前記モータとを備え、前記モータの回転力をモータの移動力に変換する機構を設けて、前記ホイールをその作用位置と非作用位置との間で移動可能にしたことを特徴とする。
これにより、電気光学変調装置上の画像形成領域において光照射領域と光非照射領域とが順次交互にスクロールされ、尾引き現象が改善されて滑らかで良質な動画表示が得られる。また、静止画表示等の際には前記ホイールをその非作用位置においてモータを停止させることもできる。さらに、ホイール移動のためにモータを別途設ける必要がなく、ホイール移動のための機構を簡易かつ安価に構成できる。
【０００５】
本発明のプロジェクタはまた、照明光束を射出する光源装置及びモータによって回転されて前記照明光束の照射態様を制御するホイールとを有した照明装置と、前記照明装置から射出された照明光束を入射し画像情報に応じて変調する電気光学変調装置と、前記電気光学変調装置によって変調された光を投写する投写レンズとを備え、前記照明装置は、前記電気光学変調装置の画面書込み周波数に同期して開閉し前記照明光束を一定時間遮断する光シャッタとしての前記ホイール及び該ホイールと一体の前記モータとを備え、前記モータの回転力をモータの移動力に変換する機構を設けて、前記ホイールをその作用位置と非作用位置との間で移動可能にしたことを特徴とする。
これにより、表示光のホールド時間が短くなり、尾引き現象が改善されて滑らかで良質な動画表示が得られる。また、静止画表示等の際には前記ホイールをその非作用位置においてモータを停止させることもできる。さらに、ホイール移動のためにモータを別途設ける必要がなく、ホイール移動のための機構を簡易かつ安価に構成できる。
【０００６】
前記ホイールの移動のために、前記モータの回転体であるアウタロータの外周面に対して選択的に押し当て可能なモータの回転軸と直交する方向に延びる摩擦板を備えることが好ましい。これにより、モータの回転力を利用してホイールを摩擦板に沿って移動させることができる。なお、前記アウタロータの外周面にはその面の摩擦力を増大させる処理が施されていることが好ましい。
また、前記モータのステータを含む固定体部から前記モータの回転軸と平行する棒部材を延設し、該棒部材が嵌る幅の長形溝を前記モータの回転軸と直交する方向の所定範囲に有する固定ガイド部材を備え、前記固定ガイド部材の長形溝に前記棒部材を挿入していることが好ましい。これにより、ホイールの移動範囲を予め定めた範囲に規制することができる。
【０００７】
また、前記ホイールの移動のために、前記モータの回転体であるアウタロータの外周面に第１ギアを形成し、選択的に前記第１ギアとかみ合って前記第１ギアをモータの回転軸と直交する方向に往復運動させる第２ギアを備えることが好ましい。これにより、モータの回転力を利用してホイールを第２ギアに沿って移動させることができる。
【０００８】
さらに、前記第２ギアが、板部材内部の所定範囲に設けた前記アウタロータを挿入可能な幅の長形溝の溝壁面に沿って形成されたラックギアであることが好ましい。これににより、ホイールの移動範囲を予め定めた範囲に規制することができる。
【発明を実施するための最良の形態】
【０００９】
（実施形態１）
図１は、本発明の実施形態に係るプロジェクタを説明するための図である。図１（ａ）はその光学系の平面図、図１（ｂ）は図１（ａ）の側面図、図１（ｂ）はここで用いられている回転ホイールを説明するための図、図１（ｄ）は被照明領域である液晶表示装置上における照明状態を示す図である。
【００１０】
このプロジェクタ１０００は、図１（ａ）及び（ｂ）に示すように、照明装置１００と、照明装置１００からの照明光束を赤、緑及び青の３つの色光に分離して液晶表示装置４００Ｒ，４００Ｇ，４００Ｂへ導く色分離・リレー光学系２００と、色分離・リレー光学系２００で分離された３つの色光のそれぞれを画像情報に応じて変調する電気光学変調装置としての３つの液晶表示装置４００Ｒ，４００Ｇ，４００Ｂと、これら３つの液晶表示装置４００Ｒ，４００Ｇ，４００Ｂからの変調光を合成するクロスダイクロイックプリズム５００と、クロスダイクロイックプリズム５００によって合成された光をスクリーンＳＣＲ等の投写面に投写する投写レンズ６００とを備えたプロジェクタである。
【００１１】
照明装置１００は、照明光を被照明領域側に集束光束として射出する光源装置１１０と、光源装置１１０からの光束が集束する位置近傍に光入射面を有し光源装置１１０からの光束をより均一な強度分布を有する照明光束に変換するインテグレータロッド１２０と、インテグレータロッド１２０の光出射面１２０o近傍に配置され、光軸と平行な回転軸を有するとともに、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して上下方向に順次交互にスクロールされるように構成された回転ホイール３０とを有する照明装置である。なお、光源装置１１０とインテグレータロッド１２０との間に配置されているのは赤外線反射板１１８である。
【００１２】
光源装置１１０は、楕円面リフレクタ１１４、高圧水銀ランプ等からなる発光管１１２及び光利用効率向上のための補助ミラー１１６を有する。
インテグレータロッド１２０は、入射した光を内部で繰り返し反射させた後射出するようになっており、中実タイプと中空タイプのいずれも利用できる。
【００１３】
回転ホイール３０は図１（ｃ）に示すように、渦巻状の光透過領域３２と光非透過領域（又は光反射領域）３４とを有した円盤で、それを回転させるモータ１０と一体の回転ホイールアセンブリ２０となっている。回転ホイールアセンブリ２０は、図１（ｂ）に示すように、その回転軸が光軸と平行になっており、液晶表示装置４００Ｒ，４００Ｇ，４００Ｂと共役の関係にあって作用する。この回転ホイールアセンブリ２０は、後述するように、上記の作用位置と、回転ホイール３０が光路からはずれた非作用位置との間で移動可能に構成して、利用者が回転ホイール３０の適用を選択できるようにしている。なお、回転ホイール３０の光透過領域３２に減反射膜を形成しておくと、光透過率が向上して光利用効率の低下を抑制できるとともに、迷光レベルが低減しコントラストが向上する。
【００１４】
色分離・リレー光学系２００は、ダイクロイックミラー７２０，７２４，７２８と、反射ミラー７２２，７２６，７３０，７３２、レンズ７３４，７３６，７３８，７４０，７４２，７４４及び７４６等から構成される。回転ホイール３０からの射出光は、レンズ７３４を経てダイクロイックミラー７２０に入射する。そして各色光は、例えば次のような光路をとる。赤色光は、ダイクロイックミラー７２０及び７２８で反射され、さらに反射ミラー７３０及び７３２で反射され、レンズ７４６を経て液晶表示装置４００Ｒに入射する。緑色光は、ダイクロイックミラー７２０を透過し、反射ミラー７２２で反射され、ダイクロイックミラー７２４及び７２８で反射され、レンズ７４４を経て液晶表示装置４００Ｇに入射する。青色光は、ダイクロイックミラー７２０を透過し、反射ミラー７２２で反射され、ダイクロイックミラー７２４を透過し、反射ミラー７２６で反射され、レンズ７４２を経て液晶表示装置４００Ｂに入射する。
【００１５】
照明装置１００は、回転ホイール３０を所定の速度で回転させることによって、照明光束が色分離・リレー光学系２００が構成する平面（図１のｘｚ平面）に対して直交する方向（図１のｙ軸方向）に沿ってスクロールされる。この結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離・リレー光学系２００が構成する平面（図１のｘｚ平面）に対して直交する方向（図１のｙ軸方向）に沿って、順次交互にスクロールされるように構成されている（図１（ｄ）参照）。なお、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００１６】
これにより、尾引き現象が緩和され、滑らかで良質な動画表示が得られるプロジェクタとなる。また、このプロジェクタ１０００によれば、１つの照明装置１００によって照明光束のスクロールを実現しているため、液晶表示装置４００Ｒ，４００Ｇ，４００Ｂが３つ存在するにもかかわらず１つのスクロール機構で済み、プロジェクタの大型化を抑制することができるようになる。このため、プロジェクタ１０００は、その小型化も容易な構造となっている。
【００１７】
なお、尾引き現象を緩和して滑らかで良質な動画表示を得るためには、必ずしもすべての電気光学変調装置上で光照射領域と光非照射領域とがスクロールする方向（スクロール方向）が同一である必要はないが、このプロジェクタ１０００のように、スクロール方向をすべて同一とすることによって、３つの液晶表示装置間で同じような条件で光照射を行うことができ、さらに良質な動画表示を得ることができるようになる。
【００１８】
次に、前述した回転ホイールアセンブリ２０について詳細に説明する。図２は、回転ホイールアセンブリ２０及びその回転力からそれに移動力を発生させる機構を説明する図である。すなわち、図２（ａ）は回転ホイールアセンブリ２０を説明する構造図、図２（ｂ）は回転ホイールアセンブリ２０の回転力から移動力を発生させる機構を説明する説明図、図２（ｃ）は図２（ｂ）の機構の背面方向からの斜視図である。
【００１９】
モータ１０は、ステータを含んだ固定体１１と回転体であるアウターロータ１２とを備える。モータ１０はまた、固定体１１の背面から後方にモータ１０の回転軸と平行に延設されたモータ案内用棒状体であるピン１３を備える。さらに、アウターロータ１２には、回転ホイール３０がその中心とモータの回転軸とを一致させるようにネジ３１により取り付けられて、回転ホイールアセンブリ２０が構成されている（図２（ａ）参照）。このような回転ホイールアセンブリ２０が、その回転軸をプロジェクタの光軸と平行にして、かつ回転軸と直交する方向にスライド可能に支持されて配置されている。回転ホイールアセンブリ２０をスライド可能に支持する構造は任意であり、例えば、ピン１３を回転ホイールアセンブリ２０の支持部材として利用する方法や、ケース等に固定された台等に溝を形成しておきその溝中をスライドする台車に回転ホイールアセンブリ２０の固定体１１を支持させる方法が挙げられる。なおこれらの場合、回転ホイール３０の位置が定まった後はピン１３や台車をロック状態にして、位置ずれが生じないようにするのが好ましい。次に、回転ホイールアセンブリ２０に位置移動のための作用力（移動力）を与える機構について説明する。
【００２０】
アウターロータ１２の下側には、光軸と直交する方向に長くかつアウターロータ１２に当接してその回転を抑制可能な摩擦板５０が、カム６０によって上下方向に移動可能に配置されている。カム６０は摩擦板５０をアウターロータ１２から離隔した位置（図２（ｂ）の（１）参照）とアウターロータ１２に当接する位置（図２（ｂ）の（２）参照）の間で移動させるものである。従って、カム６０の代わりに同様の作用を果たす油圧プランジャーや空圧プランジャーを備えても良い。また、固定体１１の後方には、ピン１３が緩く嵌る幅の長形溝４１をモータ１０の回転軸と直交する方向の所定範囲に有する固定されたガイド部材７０を備え、そのガイド部材７０の長形溝７１に２本のピン１３を挿入している（図２（ｃ）参照）。
【００２１】
以上の構成において、回転ホイールアセンブリ２０への移動力付与は以下のように行われる。アウターロータ１２に摩擦板５０が押し当てられていない図２（ｂ）の（１）に示す状態では、回転ホイール３０が自由に回転できる状態となっており、回転ホイールアセンブリ２０の移動はできない。回転ホイールアセンブリ２０を移動させる場合には、図２（ｂ）の（２）に示すように、カム６０の回転を利用して摩擦板５０をアウターロータ１２に当接させる。するとアウターロータ１２に摩擦力が作用し、回転ホイールアセンブリ２０を回転軸方向と直交する方向へ移動させる移動力が発生する。これによって回転ホイールアセンブリ２０の移動が可能になる。なお、カム６０の回転を利用して摩擦板５０をアウターロータ１２から離せば、回転ホイール３０は再び回転自由な状態に戻る。
【００２２】
この場合、回転ホイールアセンブリ２０の移動量は、ガイド部材７０の長形溝７１とピン１３によって規制されため、回転ホイールアセンブリ２０の必要な移動量が確保できるよう、予め長形溝７１の長さとピン１３の取り付け位置を定めておく。また、アウターロータ１２の表面には、摩擦板５０との摩擦力を高めるための処理を施しておくのが好ましい。この処理として、例えば、表面形状を微細な凹凸を多数有した形状とすることや、表面にその摩擦係数を大きくする素材を被覆すること等が考えられる。
【００２３】
以上の構成により、静止画表示等の際には回転ホイールアセンブリ２０を移動して回転ホイール３０をその非作用位置におき、それを停止状態とすることができる。そして、動画表示等の際には、回転ホイール３０を再びその作用位置に戻すことができる。特にこの構成は、回転ホイールの回転用モータをその移動用に兼用しているので、モータ及びその駆動回路が１個で済み、回転ホイール移動のための機構を簡易且つ安価に構成できるという効果も奏する。
【００２４】
図３は、別の回転ホイールアセンブリ及びその回転力からそれに移動力を発生させる機構を説明する図である。すなわち、図３（ａ）は回転ホイールアセンブリ２０Ａを説明する構造図、図３（ｂ）は回転ホイールアセンブリ２０Ａの回転力から移動力を発生させる機構を説明する説明図、図３（ｃ）は図３（ｂ）の機構を説明する前面方向からの斜視図である（説明の便宜上、回転ホイールは図示せず）。
【００２５】
モータ１０は、ステータを含んだ固定体１１と、回転体であるアウターロータ１２と、アウターロータ１２の固定体１１側の表面外周に形成された第１ギアとしての円形ギア１４とを備える。そして、アウターロータ１２には、回転ホイール３０がその中心とモータの回転軸とを一致させるようにネジ３１により取り付けられて、回転ホイールアセンブリ２０Ａが構成されている（図３（ａ）参照）。このような回転ホイールアセンブリ２０Ａが、その回転軸をプロジェクタの光軸と平行にして、かつ回転軸と直交する方向及び回転軸方向にスライド可能に支持されて配置されている。ここでも、回転ホイールアセンブリ２０Ａをスライド可能に支持する構造は任意とし、図２の説明に関連して説明したような構造が利用できる。次に、回転ホイールアセンブリ２０Ａに位置移動のための作用力（移動力）を与える機構について説明する。
【００２６】
モータ１０のアウターロータ１２は、図３（ｂ）に示すように、固定された板部材であるガイド部材８０の長形溝８１を貫通するようにして配置されている。ガイド部材８０は、図３（ｃ）に示すように、その中央部にアウタロータ１２を挿入可能な幅でかつ所定の長さを有した長形溝８１が形成され、その溝の片側壁面に円形ギア１４とかみ合い可能な第２ギアとしてのラックギア８２が形成されたものである。これに対して、アウターロータ１２の中央部から回転ホイールまでの間は円形ギア１４のない形状となっている。モータ１０は通常、長形溝８１の部分にアウターロータ１２の円形ギア１４のない部分を位置させて、アウターロータ１２が自由に回転できる状態としておく。そして、この長形溝８１にアウターロータ１２を深く押し入れることで、アウターロータ１２の円形ギア１４とガイド部材８０のラックギア８２とがかみ合うようになっている。
【００２７】
以上の構成において、回転ホイールアセンブリ２０Ａへの移動力付与は以下のように行われる。円形ギア１４とラックギア８２とがかみ合っていない図３（ｂ）の（１）に示す状態では、回転ホイール３０が自由に回転できる状態となっており、回転ホイールアセンブリ２０Ａの移動はできない。回転ホイールアセンブリ２０Ａを移動させる場合には、図３（ｂ）の（２）に示すように、モータ１０をガイド部材８０側に深く押し込んで、円形ギア１４とラックギア８２とをかみ合わす。この状態でモータ１０を駆動するとアウターロータ１２に回転力が作用し、円形ギア１４がガイド部材８０のラックギア８２に沿って回転するため、回転ホイールアセンブリ２０Ａがモータ１０の回転軸方向と直交する方向に移動する。なお、モータ１０を元の位置に引き戻して円形ギア１４とラックギア８２とのかみ合いを解除すれば、回転ホイール３０は回転自由な状態に戻る。また、回転ホイールアセンブリ２０Ａの移動量は、長形溝８１及びラックギア８２の長さによって規制されるため、必要な移動量が確保できるよう、予めそれらの長さを定めておく。
【００２８】
これにより、静止画表示等の際には回転ホイールアセンブリ２０Ａを移動して回転ホイール３０をその非作用位置におき、それを停止状態とすることができる。そして、動画表示等をする際には、回転ホイール３０を再びその作用位置に戻すことができる。さらに、この構成は、回転ホイールの回転用モータをその移動用にも兼用しているので、モータ及びその駆動回路が１個で済み、回転ホイール移動のための機構を簡易かつ安価に構成できるという効果も奏する。
【００２９】
ところで、図３（ｂ）におけるモータ１０の押し込み／引き戻しは、機械的手段を利用して行っても又は手動により行ってもよい。図４は図３（ｂ）の機構を機械的に作動させる例を示す説明図である。これは、モータ１０の固定体１１に弾性部材９１を取り付けておき、モータ１０の押し込みはソレノイド９２等のプランジャーの押し出し力を利用して弾性部材９１を引張させながら行い（図４（２））、モータ１０の引き戻しはそのプランジャーの押し出し力を解除することにより、弾性部材９１が元の状態に縮むことを利用して行うようにしたものである（図４（１））。
【００３０】
（実施形態２）
図５は、本発明の別の実施形態に係るプロジェクタを説明する図である。このプロジェクタ１０００Ａは、図５（ａ）に示すように、照明装置１００Ａとして、光源装置１１０、光源装置１１０からの光束の集光位置近くに配置されたシャッタ用回転ホイール４０、光源装置１１０から射出された光束を平行化する平行化レンズ１３０、光束の強度分布を均一化する第１レンズアレイ１３２及び第２レンズアレイ１３４、偏光方向を揃える偏光変換素子１３６、第２レンズアレイ１３４から射出した複数の光束を後述の液晶表示装置ぼ画像形成面に重ね合わせる重厚レンズ１３８等を備える。また、照明装置１００Ａから射出された照明光束を赤色光、緑色光、青色光成分に分離して液晶表示装置へ導くする色分離・リレー光学系２００Ａとして、ダイクロイックミラー１８１，１８２、反射ミラー１８３，１８４，１８５、及びレンズ１９１〜１９６を備える。さらに、赤色光、緑色光、青色光の各色光に対応した電気光学変調装置としての液晶表示装置４００Ｒ，４００Ｇ，４００Ｂ、液晶表示装置４００Ｒ，４００Ｇ，４００Ｂから射出された変調光を合成するクロスダイクロイックプリズム５００、クロスダイクロイックプリズム５００から射出された光を投写する投写レンズ６００を備えている。
【００３１】
シャッタ用回転ホイール４０は、図５（ｂ）に示すように、円盤に一定ピッチで透光部４２と遮光部４３を交互に形成したもので、回転ホイール４０を回転させるモータ１０と一体なって回転ホイールアセンブリ２０Ｂを構成している。回転ホイールアセンブリ２０Ｂは、その回転ホイール４０が光源装置１１０から射出された光束の集光位置近傍に配置されて使用される。そして、画像の１フィールド中に各１個の遮光部４３と透光部４２とが来るように液晶表示装置４００Ｒ，４００Ｇ，４００Ｂのフィールド周波数に同期させて回転させる。このようにすることで、各画像の１フィールド前半の非定常部や残像部を遮蔽して、定常状態の表示光のみを液晶表示装置４００Ｒ，４００Ｇ，４００Ｂの入射光とすることが可能となり、尾引き現象が緩和された、滑らかで良質の動画表示が得られるプロジェクタとなる。
【００３２】
このプロジェクタ１０００Ａにおいても、回転ホイールアッセンブリ２０Ｂに図２又は図３において説明したのと同様な構成を採用して、それを移動可能な構成としている。従って、ここでも、回転ホイール４０を必要に応じてその作用位置又は非作用位置に置くことが、簡易かつ安価な構成で可能となっている。
【００３３】
以上、本発明のプロジェクタを上記の各実施形態に基づいて説明したが、本発明はそれらの実施形態に限られるものではなく、その要旨を逸脱しない範囲において種々の態様において実施することが可能であり、例えば次のような変形も可能である。
（１）上記各実施形態のプロジェクタは透過型のプロジェクタであるが、本発明は反射型のプロジェクタにも適用することが可能である。ここで、「透過型」とは、透過型の液晶表示装置等のように光変調手投としての電気光学変調装置が光を透過するタイプであることを意味しており、「反射型」とは、反射型液晶表示装置のように光変調手段としての電気光学変調装置が光を反射するタイプであることを意味している。
（２）上記各実施形態のプロジェクタは、電気光学変調装置として液晶表示装置を用いているが、本発明はこれに限られるものではない。電気光学変調装置としては、一般に、入射光を画像情報に応じて変調するものであればよく、マイクロミラー型光変調装置等を利用することもできる。
（３）さらに、ホイール回転用モータの回転力を利用して回転ホイールアセンブリの移動力を得る機構は、上記の例に限られるものではなく、同様の作用を果たす他の構成としてもよい。
【産業上の利用可能性】
【００３４】
本発明における回転ホイールアセンブリの移動機構は、上記実施の形態で説明したプロジェクタの他に、カラーシーケンシャル方式のプロジェクタに用いられる回転カラーフィルタの移動、あるいはホイールによる光リサイクル機構を採用しているプロジェクタのホイールの移動にも適用できる。
【図面の簡単な説明】
【００３５】
【図１】本発明の実施形態に係るプロジェクタの説明図。
【図２】回転ホイールアセンブリ及びその回転力を利用してそれに移動力を発生させる機構の説明図。
【図３】別の回転ホイールアセンブリ及びその回転力を利用してそれに移動力を発止させる機構の説明図。
【図４】図３の機構を機械的に作動させる例を示す説明図。
【図５】本発明の別の実施形態に係るプロジェクタの説明図。
【符号の説明】
【００３６】
１０…モータ、１１…固定体、１２…アウターロータ（回転体）、１３…ピン、１４…円形ギア、２０，２０Ａ，２０Ｂ…回転ホイールアセンブリ、３０…走査用回転ホイール、３１…ネジ、３２…光透過領域、３４…光非透過領域、４０…シャッタ用回転ホイール、４２…透光部、４３…遮光部、５０…摩擦板、６０…カム、７０…ガイド板、７１…長形溝、８０…ガイド板、８１…長形溝、８２…ラックギア、１００，１００Ａ…照明装置、１１０…光源装置、１１２…発光管、１１４…楕円面リフレクタ、１１６…補助ミラー、１２０…インテグレータロッド、１３０…平行化レンズ、１３２…第１レンズアレイ、１３４…第２レンズアレイ、１３６…偏光変換素子、１３８…重畳レンズ、１８１，１８２…ダイクロイックミラー、１８３，１８４，１８５…反射ミラー、１９３，１９４，１９５…レンズ、１９１，１９２，１９６…フィールドレンズ、２００，２００Ａ…色分離・リレー光学系、４００Ｒ，４００Ｇ，４００Ｂ…液晶表示装置、５００…クロスダイクロイックプリズム、６００…投写レンズ、７２０，７２４，７２８…ダイクロイックミラー、７２２，７２６，７３０，７３２…反射ミラー、７４２，７４４，７４６…フィールドレンズ、７３４，７３６，７３８，７４０…レンズ、１０００，１０００Ａ…プロジェクタ。
【図１】
2005257963.tif 000003
【図２】
2005257963.tif 000004
【図３】
2005257963.tif 000005
【図４】
2005257963.tif 000006
【図５】
2005257963.tif 000007